(57)【要約】      （修正有）【課題】使用者が大きな荷物を載せたときにも安定よく操作することができるキャリーカートを提供する。【解決手段】水平に配置された荷台プレート５と、上記荷台プレート５の下側に取り付けられた複数のキャスタ８と、水平方向に延在するハンドル２と、上記荷台プレート５の上方へ延びていて、上記荷台プレート５と上記ハンドル２とを繋ぐ背フレームであって、上下方向に伸縮可能な背フレームと、を備えるキャリーカート１であって、上記ハンドル２の中央部分が、上記荷台プレート５の中心点の真上の位置に近づく方向へ湾曲していることを特徴とする。【選択図】図１
0003194453.tif 000002
【実用新案登録請求の範囲】
【請求項１】
荷物を支持するための背フレームと、
上記背フレームの下部の前面側に水平に配置された荷台プレートと、
上記荷台プレートの下側に取り付けられた複数のキャスタと、
上記背フレームの頂部に設けられ、水平方向に延在するハンドルと、
を備えるキャリーカートであって、
上記ハンドルの中央部分が上記荷台プレートの前面側へ湾曲していることを特徴とするキャリーカート。
【請求項２】
荷物を支持するための背フレームと、
上記背フレームの下部の前面側に水平に配置された荷台プレートと、
上記荷台プレートの下側に取り付けられた複数のキャスタと、
上記背フレームの頂部に設けられ、水平方向に延在するハンドルと、
を備えるキャリーカートであって、
上記ハンドルの中央部分が上記荷台プレートの前面側へ湾曲していて、さらには、上記背フレームは、管状の基杆と、この基杆内に摺動可能に嵌入されたスライド杆とを含むことを特徴とするキャリーカート。
【請求項３】
上記荷台プレートの背面側の面が該荷台プレートの前面側へ凹んでいるように抉れていることを特徴とする請求項１または請求項２に記載のキャリーカート。
【請求項４】
上記ハンドルの少なくとも一部の表面が人間の指の形にフィットし得る波形の形状に形成されていることを特徴とする請求項１または請求項２に記載のキャリーカート。
【考案の詳細な説明】
【技術分野】
【０００１】
本考案は、キャリーカートに関し、詳しくは、操作性に優れたキャリーカートに関する。
【背景技術】
【０００２】
今日では、高機能性を追求した工業製品だけではなく、人間が扱い易く、長時間使用しても疲れない形を追求した工業製品の需要が高まっている。つまり、人間工学に基づいて操作し易い形状につくられた工業製品が求められている。
【０００３】
一般に、キャリーカートは、水平に配置された荷台プレートと、水平方向に延びている直線状のハンドルを有するとともに、これらの荷台プレートとハンドルとを繋ぐ背フレーム（ハンドル支柱）を有する。そして、ハンドルの中央部分に押しボタンが配置されており、使用者がこの押しボタンを押すと、ハンドルと直交する垂直方向に延びている背フレームのスライド杆がスライドできるようになる。
【０００４】
従来の水平方向に真直ぐに延在するハンドルを有するキャリーカートについては、操作しづらいことがあったが、ハンドルの中央部分を、荷台プレートの中心点（荷台プレート上の２本の対角線の交点）の真上に近づく方向へ湾曲させることにより、操作性に優れたキャリーカートとなると考えられる。
【０００５】
また、従来のキャリーカートを使用する際には、ともすれば使用者の足がキャリーカートの荷台プレートにぶつかってしまう恐れが高かった（特許文献１）。
【先行技術文献】
【特許文献】
【０００６】
【特許文献１】特開２００２−１６０６３６号公報
【考案の概要】
【考案が解決しようとする課題】
【０００７】
本考案は、大きな荷物を載せているときにも使用者が安定よく操作することができるキャリーカートを提供することを目的とする。
【課題を解決するための手段】
【０００８】
本考案の一実施例においては、荷物を支持するための背フレームと、上記背フレームの下部の前面側に水平に配置された荷台プレートと、上記荷台プレートの下側に取り付けられた複数のキャスタと、上記背フレームの頂部に設けられ、水平方向に延在するハンドルと、を備えるキャリーカートであって、上記ハンドルの中央部分が上記荷台プレートの前面側へ湾曲していることを特徴とするキャリーカートを提供する。
【０００９】
本考案の他の実施例においては、荷物を支持するための背フレームと、上記背フレームの下部の前面側に水平に配置された荷台プレートと、上記荷台プレートの下側に取り付けられた複数のキャスタと、上記背フレームの頂部に設けられ、水平方向に延在するハンドルと、を備えるキャリーカートであって、上記ハンドルの中央部分が上記荷台プレートの前面側へ湾曲していて、さらには、上記背フレームは、管状の基杆と、この基杆内に摺動可能に嵌入されたスライド杆とを含むことを特徴とするキャリーカートを提供する。
【００１０】
また、一実施例においては、本考案のキャリーカートは、上記荷台プレートの背面側の面（背フレームが立設されている位置に近い方の上記荷台プレートの面）が該荷台プレートの前面側へ湾曲するように抉れている場合がある（図１および図２を参照）。
【００１１】
さらに、一実施例においては、本考案のキャリーカートは、ハンドルの少なくとも一部の表面が人間の指の形にフィットし得る波形の形状（図示せず）に形成されている場合がある。
【００１２】
これらの特徴部を有する本考案のキャリーカートは、使用者がハンドルを確実に握ることができて、安定して操作することができるキャリーカートである。
【考案の効果】
【００１３】
すなわち、本考案のキャリーカートは、ハンドルの中央部分が荷台プレートの前面側へ湾曲していて使用者の手にフィットし易いので、高い精度でキャリーカートを操作することができる。さらには、本考案のキャリーカートの一実施例においては、荷台プレートの背面側の面が荷台プレートの前面側へ凹んでいることで、使用者の足が荷台プレートにぶつかってしまうことが少ない。
【図面の簡単な説明】
【００１４】
【図１】本考案のキャリーカートを示す斜視図。
【図２】本考案のキャリーカートの平面図。
【図３】本考案のキャリーカートの正面図。
【図４】本考案のキャリーカートの側面図。
【考案を実施するための形態】
【００１５】
本考案のキャリーカートについて、添付の図１〜図４を参照しながら以下に説明する。なお、本明細書中における背プレートや荷台プレートの「前面側」とは、図２に示される前面側（紙面の下側）を意味し、「背面側」とは、図２に示される背面側（紙面の上側）を意味するものとする。
【００１６】
図１は、本考案のキャリーカート１を示す斜視図である。この図に示されているように、キャリーカート１のハンドル（把持部）２の中央部分が荷台プレート５の重心の真上の方向へ湾曲していることにより、人間（使用者）が操作し易いキャリーカートになっている。
【００１７】
図１に示されているキャリーカートは、背フレームと、背フレームの下部の前面側に配置された荷台プレートと、荷台プレートの下側に取り付けられた複数のキャスタと、を備えている。さらに、本考案の一実施例においては、荷台プレートとハンドルとを繋いでいる背フレームは、管状の基杆と、この基杆内に摺動可能に嵌入されたスライド杆とを含むように構成されていて、基杆に沿った任意の位置にスライド杆を固定することができるロック機構を備えている。
【００１８】
図１に示されているキャリーカート１において、ハンドル２の中央部分に配置されている押しボタン３は、背フレームを構成するスライド杆４ｂの固定を解除するためのボタンであり、当技術分野で周知の技術によって製造されている。
【００１９】
図２は、本考案のキャリーカート１の平面図である。キャリーカート１のハンドル２の中央部分が、荷台プレート５の前面側へ湾曲している様子が示されている。特に、荷台プレート５の上に大きな荷物が置かれているときには、荷台プレート５の２本の対角線の交点（中心点）付近に重心が位置する可能性が高いので、ハンドル２の中央部分が荷台プレート５の中心点の真上に近づく方向へ湾曲している本考案のキャリーカート１は、人間（使用者）が操作し易い形態に構成されている。
【００２０】
図３は、本考案のキャリーカート１の正面図である。図３は、背フレームが長く伸長している状態を示している。背フレームは、基杆４ａと、この基杆４ａ内に摺動可能に嵌入されたスライド杆４ｂとを含むように構成されている。
【００２１】
背フレームのスライド杆４ｂは、基杆４ａに沿って上下方向に摺動できるが、基杆４ａの係合孔にスライド杆４ｂの係合ピン６が嵌入することによって、基杆４ａに沿った所望の上下方向位置にスライド杆４ｂが固定されるように構成されている。
【００２２】
具体的には、図１および図３に示されるように、２本の基杆４ａの互いに対向する面にそれぞれ係合孔が開いており、スライド杆４ｂには、係合孔に嵌入し得る係合ピン６が設けられている。これらの係合ピン６が係合孔に係合している状態においては、ハンドル４の押しボタン３のある位置を人が手で握ると、係合孔から係合ピン６が解除され、スライド杆が上下方向に摺動可能となる。
【００２３】
或いは、他の実施例においては、キャリーカート１のハンドル２の中央部分に配置されている押しボタン３が押されると、背フレームの係合孔に係合ピン６が嵌入され、基杆４ａ内を摺動可能なスライド杆４ｂが基杆内を上下方向に摺動できないようになる（つまり、スライド杆４ｂが固定される）場合もある。
【００２４】
本考案の他の実施例においては、荷台プレート５の前面側へ湾曲したハンドルを有しつつも、上下方向に摺動しないスライド杆を備える（つまり、背フレームが上下方向に伸縮しない）キャリーカートとして構成される場合もある。
【００２５】
キャリーカート１のハンドル２は、合成樹脂、金属又はスチールから形成され得る。一例においては、ハンドル２は、加工性、耐衝撃性、曲げ疲労性など機械的特性のバランスに優れるＡＢＳ樹脂などの軽くて丈夫な材料から形成され得る。
【００２６】
キャリーカート１の背フレーム４ａ，４ｂ，７は、金属、スチール又は硬い樹脂から形成され得る。一例においては、背フレームは、アルミニウムなどの軽くて丈夫な材料から形成され得る。
【００２７】
また、本考案の一実施例においては、荷台プレート５の下側に２つのキャスタ８が取り付けられている。本考案の他の実施例においては、荷台プレートの下側に３つ以上のキャスタ８が取り付けられている。
【００２８】
図４は、本考案のキャリーカート１の側面図であり、背フレームのスライド杆４ｂが上方へ大きく伸長している状態を示している。すなわち、背フレームの基杆４ａ内を摺動可能なスライド杆４ｂが基杆４ａから大きく露出している。
【００２９】
以上のような構成を有する本考案のキャリーカートは、湾曲したハンドルを有することで操作性が高いことに大きな特徴があり、さらには、荷台プレートの背面側の面が前面側へ凹んでいるように抉れていることで（図１等参照）、使用者の足が荷台プレートにぶつかってしまうことを回避できるという特徴がある。
【符号の説明】
【００３０】
１…キャリーカート
２…ハンドル（把持部）
３…押しボタン
４ａ…基杆
４ｂ…スライド杆
５…荷台プレート
６…係合ピン
７…背フレームの一部を構成するバー
８…キャスタ
【図１】
0003194453.tif 000003
【図２】
0003194453.tif 000004
【図３】
0003194453.tif 000005
【図４】
0003194453.tif 000006